(57)【要約】【課題】ＳＩＭカードに格納されたアプリケーションＩＤを介して、少なくとも一つのアプリケーションをダウンロードすることにより、ＳＩＭカードの活用範囲を拡大させる。【解決手段】アプリケーション提供／管理システム１１００は、通信網１４００を介して、クライアント携帯端末１３００に各々含まれるＳＩＭカード１２００の提供／管理サーバー１５００に接続され、クライアント携帯端末１３００に装着されるＳＩＭカード１２００に格納されているアプリケーション固有ＩＤを読み取るＳＩＭカード認識／読取部１１１０と、読み取ったアプリケーション固有ＩＤを通信網１４００を介してサーバー１５００に伝送するデータ送受信部１１３０と、サーバー１５００から提示されるアプリケーションのうちのクライアントが選択するアプリケーションをサーバー１５００からダウンロードするアプリケーションダウンロード部１１４０を有する。【選択図】図９
2010045824.tif 000002
【特許請求の範囲】
【請求項１】
ＳＩＭカードを提供及び管理するサーバーに有線／無線ネットワークを介して接続され、前記サーバーからアプリケーションを受信すると共に、このアプリケーションを管理するシステムにおいて、
クライアント携帯端末に装着されるＳＩＭカードを検出し、前記検出したＳＩＭカードに格納されているアプリケーション固有ＩＤを読み取るＳＩＭカード認識／読取部と、
前記読み取ったアプリケーション固有ＩＤを前記有線／無線ネットワークを介して前記サーバーに伝送するデータ送受信部と、
前記サーバーから提示される少なくとも一つのアプリケーションのうちのクライアントが選択する単一のアプリケーションを前記サーバーからダウンロードするアプリケーションダウンロード部と、を含む、ＳＩＭカードを利用したアプリケーション提供／管理システム。
【請求項２】
前記ダウンロードしたアプリケーションと一対一対応するファンクションキーをクライアント携帯端末上で設定し、前記設定されたファンクションキーの名称を変更するファンクションキー選択／変更部と、
前記ダウンロードしたアプリケーション実行時の駆動画面を、前記クライアントの要請により変更する駆動画面変更部と、
前記設定されたファンクションキーがクリックされたときに、前記クリックされたファンクションキーと一対一対応するアプリケーションを駆動すると同時に前記変更された駆動画面を表示するインターフェース提供部と、をさらに含む請求項１記載のアプリケーション提供／管理システム。
【請求項３】
前記サーバーは、
少なくとも一つのアプリケーションに固有ＩＤを各々割り当て、前記割り当てた固有ＩＤを前記ＳＩＭカードに格納するＩＤ割当／記録部と、
前記データ送受信部を介して受信されるアプリケーションＩＤが、正常に割り当てられた固有ＩＤであるかをチェックする情報チェック部と、
前記チェックした結果により、少なくとも一つのアプリケーションを提示し、前記提示したアプリケーションのうちのクライアントが選択した単一のアプリケーションを提供するアプリケーション提供部と、を含む請求項２記載のアプリケーション提供／管理システム。
【請求項４】
ＳＩＭカードを提供及び管理するサーバーに有線／無線ネットワークを介して接続され、前記サーバーからアプリケーションを受信すると共に、このアプリケーションを管理する方法において、
ａ）クライアント携帯端末に装着されるＳＩＭカードを検出し、前記検出したＳＩＭカードに格納されているアプリケーション固有ＩＤを読み取る段階と、
ｂ）前記読み取ったアプリケーション固有ＩＤを前記有線／無線ネットワークを介して前記サーバーに伝送する段階と、
ｃ）前記サーバーから提示される少なくとも一つのアプリケーションのうちのクライアントが選択する単一のアプリケーションを前記サーバーからダウンロードする段階と、
ｄ）前記ダウンロードしたアプリケーションと一対一対応するファンクションキーを、前記クライアントの選択によってクライアント携帯端末上で設定する段階と、
ｅ）前記ダウンロードしたアプリケーション実行時の駆動画面を前記クライアントの要請により変更する段階と、
ｆ）前記設定されたファンクションキーがクリックされたときに、前記クリックされたファンクションキーと一対一対応するアプリケーションを駆動すると同時に前記変更された駆動画面を表示する段階と、を含む、ＳＩＭカードを利用したアプリケーション提供／管理方法。
【請求項５】
有線／無線ネットワークを介してクライアント携帯端末に接続されて、前記クライアント携帯端末にアプリケーションを提供すると共に、このアプリケーションを管理する方法において、
少なくとも一つのアプリケーションに固有ＩＤを各々割り当てた後、前記割り当てた固有ＩＤを前記クライアント携帯端末に装着されるＳＩＭカードに格納する段階と、
前記クライアント携帯端末から受信されるアプリケーションＩＤが、正常に割り当てられた固有ＩＤであるかをチェックする段階と、
前記チェックした結果により、少なくとも一つのアプリケーションを提示し、前記提示したアプリケーションのうちのクライアントが選択した単一のアプリケーションを前記クライアント携帯端末に提供する段階と、を含む、ＳＩＭカードを利用したアプリケーション提供／管理サービス提供方法。
【請求項６】
ＳＩＭカードを提供及び管理するサーバーに有線／無線ネットワークを介して接続され、前記サーバーからアプリケーションを受信すると共に、このアプリケーションを管理する方法を含む記録媒体において、
ａ）クライアント携帯端末に装着されるＳＩＭカードを検出し、前記検出したＳＩＭカードに格納されているアプリケーション固有ＩＤを読み取る機能と、
ｂ）前記読み取ったアプリケーション固有ＩＤを、前記有線／無線ネットワークを介して前記サーバーに伝送する機能と、
ｃ）前記サーバーから提示される少なくとも一つのアプリケーションのうちのクライアントが選択する単一のアプリケーションを前記サーバーからダウンロードする機能と、
ｄ）前記ダウンロードしたアプリケーションと一対一対応するファンクションキーを、前記クライアントの選択によってクライアント携帯端末上で設定する機能と、
ｅ）前記ダウンロードしたアプリケーション実行時の駆動画面を、前記クライアントの要請により変更する機能と、
ｆ）前記設定されたファンクションキーがクリックされたときに、前記クリックされたファンクションキーと一対一対応するアプリケーションを駆動すると同時に前記変更された駆動画面を表示する機能と、を含むプログラムが記録されたコンピュータ読取可能な記録媒体。
【請求項７】
有線／無線ネットワークを介してクライアント携帯端末に接続されて、アプリケーション提供／管理サービスを提供するシステムにおいて、
クライアント携帯端末別に固有ＩＤを各々割り当てて管理するＩＤ割当／管理部と、
前記割り当てた固有ＩＤを介して前記有線／無線ネットワークに接続するクライアント携帯端末別使用ログを、一定期間周期的にチェックして分析する使用ログチェック／統計部と、
前記分析した結果により少なくとも一つのアプリケーションを提示し、前記提示したアプリケーションのうちのクライアントが選択した単一のアプリケーションを前記クライアント携帯端末に提供するアプリケーション提示／提供部と、
前記分析した結果により、前記クライアント携帯端末に既に格納されている少なくとも一つのアプリケーションを更新するアプリケーション更新部と、を含む、アプリケーション提供／管理サービス提供システム。
【請求項８】
前記クライアント携帯端末は、
前記アプリケーション提示／提供部から単一のアプリケーションをダウンロードするアプリケーションダウンロード部と、
前記ダウンロードしたアプリケーションと一対一対応するファンクションキーを前記クライアント携帯端末上で設定し、前記設定されたファンクションキーの名称を変更するファンクションキー選択／変更部と、
前記ダウンロードしたアプリケーション実行時の駆動画面を前記クライアントの要請により変更する駆動画面変更部と、
前記設定されたファンクションキーがクリックされたときに、前記クリックされたファンクションキーと一対一対応するアプリケーションを駆動すると同時に前記変更された駆動画面を表示するインターフェース提供部と、を含む請求項７記載のアプリケーション提供／管理サービス提供システム。
【請求項９】
前記アプリケーション提示／提供部は、
前記クライアント携帯端末別に固有ＩＤを割り当てすると同時に、基本的なバージョンのアプリケーションを前記クライアント携帯端末別に提供する請求項７記載のアプリケーション提供／管理サービス提供システム。
【請求項１０】
前記割り当てた固有ＩＤは、前記クライアント携帯端末別電話番号を含む請求項７記載のシステム。
【請求項１１】
有線／無線ネットワークを介してクライアント携帯端末に接続されて、前記クライアント携帯端末にアプリケーションを提供／管理サービスを提供する方法において、
ａ）クライアント別に固有ＩＤを各々割り当てて管理する段階と、
ｂ）前記割り当てた固有ＩＤを介して前記有線／無線ネットワークに接続するクライアント別使用ログを、一定期間周期的にチェックして分析する段階と、
ｃ）前記分析した結果により少なくとも一つのアプリケーションを前記クライアント携帯端末に提示した後、前記提示したアプリケーションのうちのクライアントが選択した単一のアプリケーションを前記クライアント携帯端末に提供する段階と、
ｄ）前記分析した結果により、前記クライアント携帯端末に格納されている少なくとも一つのアプリケーションを更新する段階と、を含む、アプリケーション提供／管理サービス提供方法。
【請求項１２】
有線／無線ネットワークを介してクライアント携帯端末に接続されて、前記クライアント携帯端末にアプリケーションを提供／管理サービスを提供する方法を含む記録媒体において、
ａ）クライアント携帯端末別に固有ＩＤを各々割り当てて管理する機能と、
ｂ）前記割り当てた固有ＩＤを介して前記有線／無線ネットワークに接続するクライアント携帯端末別使用ログを一定期間周期的にチェックして分析する機能と、
ｃ）前記分析した結果により少なくとも一つのアプリケーションを提示し、前記提示したアプリケーションのうちのクライアントが選択した単一のアプリケーションを前記クライアント携帯端末に提供する機能と、
ｄ）前記分析した結果により、前記クライアント携帯端末に既に格納されている少なくとも一つのアプリケーションを更新する機能と、を含むプログラムが記録されたコンピュータ読取可能な記録媒体。
【発明の詳細な説明】
【技術分野】
【０００１】
本発明は、アプリケーション提供／管理サービスのシステムと方法及び記憶媒体に関する。
【背景技術】
【０００２】
最近、携帯端末の機能が多様化されると共に高級化されるに伴って、携帯端末の本来の機能である音声呼の処理以外に、短文メッセージ及び動画メールの送受信、電話帳、日程管理、計算機、電話番号簿、及び動画ゲームなどのような各種付加機能が使用されている。
【０００３】
また、携帯端末の各種機能の選択時、各々のファンクションキーと一対一対応する駆動画面が多様に表示されるが、このような駆動画面は、使用者の好みによって時間と場所に関係なしに変更することができる。
【０００４】
変更できる駆動画面は、携帯端末の製造時に駆動画面に格納されており、その数が非常に限定されているため、多数の利用者にとってはサービス満足度の減少を招く。
【０００５】
携帯端末の各種付加機能のうちの一つとして、利用者がアクセスしたウェブサイトを「お気に入り」に加える機能（bookmark）があるが、これもまた、当該ＵＲＬ（Uniform Resource Locator：以下、「ＵＲＬ」という）のサービスが変更される場合、利用者が望まないサービスを提供するようになる。
【０００６】
一方、携帯端末の利用方式のうち、ヨーロッパで商用化されている利用方式として、全地球的移動通信システム（Global System for Mobile Communication：以下、「ＧＳＭ」という）方式がある。
【０００７】
ＧＳＭ方式としては、携帯端末の使用者認証及びネットワーク（network）登録のためのＳＩＭカードが利用されているが、ＳＩＭカードは、携帯端末に着脱可能であり、マイクロプロセッサとメモリチップで構成されたスマートカード（smart card）であり、ＩＣカードタイプとプラグ−イン（plug-in）タイプがある（例えば、特許文献１参照）。
【０００８】
ＳＩＭカードは、加入者情報、及び携帯端末に装着されてロード（load）される携帯端末作動データを格納するが、即ち、使用者パスワードなどの加入者情報及びネットワーク登録データを格納する。そのため、ＳＩＭカードの活用範囲は制約されている。
【０００９】
加えて、各携帯端末の使用ログ(log)を分析して、当該クライアントが度々使用する無線インターネットサービスのＵＲＬを推薦及び提供する機能がある。
【００１０】
しかしながら、従来のＵＲＬ推薦機能は、初期メニューの個人化又は推薦メニュー提供、クライアントの利用履歴の提供などが大部分であるため、サービス提供時にその限界性が露出され、クライアントにとってサービス満足度の低下を招く。
【００１１】
より詳細には、個人化適用範囲は、クライアントが自身の携帯端末を利用して無線インターネットにアクセスした後、ブラウザーやプラットホームを駆動させたときに提供され、制約的に、無線インターネットの使用にたけたクライアントにのみ提供される。
【００１２】
したがって、アプリケーションをダウンロードすることにたけていないクライアントが、新たなバージョンのアプリケーションを直接ダウンロードして使用することは容易でない。
【００１３】
加えて、各携帯端末の使用ログを分析して、当該クライアントが度々使用する無線インターネットサービスのＵＲＬを推薦及び提供する機能がある。
【発明の概要】
【発明が解決しようとする課題】
【００１４】
しかしながら、従来のＵＲＬ推薦機能は、初期メニューの個人化又は推薦メニュー提供、クライアントの利用履歴の提供などが大部分であるため、サービス提供時にその限界性が露出され、クライアントにとってサービス満足度の低下を招く。
【００１５】
より詳細には、個人化適用範囲は、クライアントが自身の携帯端末を利用して無線インターネットをアクセスした後、ブラウザーやプラットホームを駆動させたときに提供され、制約的に、無線インターネットの使用にたけたクライアントにのみ提供される。
【００１６】
したがって、アプリケーションをダウンロードすることにたけていなかいクライアントが、新たなバージョンのアプリケーションを直接ダウンロードして使用することは容易でない。
【００１７】
即ち、従来の携帯端末は、クライアントが、自分の望むアプリケーション（例えば、「タマゴッチ」のようなキャラクター育成ゲームを実行させられるアプリケーション）をダウンロードするときに、複数のＵＲＬにアクセスしたり、検索しなければならない不便さを伴う。これは、利用者に時間と費用浪費を誘発させ、サービス満足度を低下させる。
【００１８】
本発明の目的は、ＳＩＭカードに格納されたアプリケーションＩＤを介して、少なくとも一つのアプリケーションをダウンロードすることにより、ＳＩＭカードの活用範囲を拡大させることにある。
【００１９】
本発明の他の目的は、クライアント携帯端末別使用ログを周期的にチェックして、携帯端末別に格納されたアプリケーションを更新したり、新規アプリケーションを周期的に提供することにある。
【課題を解決するための手段】
【００２０】
本発明の第１の態様によれば、ＳＩＭカードを提供及び管理するサーバーに有線／無線ネットワークを介して接続され、前記サーバーからアプリケーションを受信すると共に、このアプリケーションを管理するシステムにおいて、ＳＩＭカードを利用したアプリケーション提供／管理システムは、クライアント携帯端末に装着されるＳＩＭカードを検出し、前記検出したＳＩＭカードに格納されているアプリケーション固有ＩＤを読み取るＳＩＭカード認識／読取部と、前記読み取ったアプリケーション固有ＩＤを前記有線／無線ネットワークを介して前記サーバーに伝送するデータ送受信部と、前記サーバーから提示される少なくとも一つのアプリケーションのうちのクライアントが選択する単一のアプリケーションを前記サーバーからダウンロードするアプリケーションダウンロード部とを含む。
【００２１】
本発明の第２の態様によれば、ＳＩＭカードを提供及び管理するサーバーに有線／無線ネットワークを介して接続され、前記サーバーからアプリケーションを受信すると共に、このアプリケーションを管理する方法は、ａ）クライアント携帯端末に装着されるＳＩＭカードを検出し、前記検出したＳＩＭカードに格納されているアプリケーション固有ＩＤを読み取る段階と、ｂ）前記読み取ったアプリケーション固有ＩＤを前記有線／無線ネットワークを介して前記サーバーに伝送する段階と、ｃ）前記サーバーから提示される少なくとも一つのアプリケーションのうちのクライアントが選択する単一のアプリケーションを前記サーバーからダウンロードする段階と、ｄ）前記ダウンロードしたアプリケーションと一対一対応するファンクションキーを、前記クライアントの選択によってクライアント携帯端末上で設定する段階と、ｅ）前記ダウンロードしたアプリケーション実行時の駆動画面を前記クライアントの要請により変更する段階と、ｆ）前記設定されたファンクションキーがクリックされたときに、前記クリックされたファンクションキーと一対一対応するアプリケーションを駆動すると同時に前記変更された駆動画面を表示する段階とを含む。
【００２２】
本発明の第３の態様によれば、有線／無線ネットワークを介してクライアント携帯端末に接続されて、前記クライアント携帯端末にアプリケーションを提供すると共に、このアプリケーションを管理する方法において、ＳＩＭカードを利用したアプリケーション提供／管理サービス提供方法は、少なくとも一つのアプリケーションに固有ＩＤを各々割り当てた後、前記割り当てた固有ＩＤをＳＩＭカードに格納する段階と、前記クライアント携帯端末から受信されるアプリケーションＩＤが、正常に割り当てられた固有ＩＤであるかをチェックする段階と、前記チェックした結果により、少なくとも一つのアプリケーションを提示し、前記提示したアプリケーションのうちのクライアントが選択した単一のアプリケーションを前記クライアント携帯端末に提供する段階とを含む。
【００２３】
本発明の第４の態様によれば、ＳＩＭカードを提供及び管理するサーバーに有線／無線ネットワークを介して接続され、前記サーバーからアプリケーションを受信すると共に、このアプリケーションを管理する方法を含む記録媒体において、コンピュータ読取可能な記録媒体には、ａ）クライアント携帯端末に装着されるＳＩＭカードを検出し、前記検出したＳＩＭカードに格納されているアプリケーション固有ＩＤを読み取る機能と、ｂ）前記読み取ったアプリケーション固有ＩＤを、前記有線／無線ネットワークを介して前記サーバーに伝送する機能と、ｃ）前記サーバーから提示される少なくとも一つのアプリケーションのうちのクライアントが選択する単一のアプリケーションを前記サーバーからダウンロードする機能と、ｄ）前記ダウンロードしたアプリケーションと一対一対応するファンクションキーを、前記クライアントの選択によってクライアント携帯端末上で設定する機能と、ｅ）前記ダウンロードしたアプリケーション実行時の駆動画面を、前記クライアントの要請により変更する機能と、ｆ）前記設定されたファンクションキーがクリックされたときに、前記クリックされたファンクションキーと一対一対応するアプリケーションを駆動すると同時に前記変更された駆動画面を表示する機能とを含むプログラムが記録されている。
【００２４】
本発明の第５の態様によれば、有線／無線ネットワークを介してクライアント携帯端末に接続されて、アプリケーション提供／管理サービスを提供するシステムは、クライアント携帯端末別に固有ＩＤを各々割り当てて管理するＩＤ割当／管理部と、前記割り当てた固有ＩＤを介して前記有線／無線ネットワークに接続するクライアント携帯端末別使用ログを、一定期間周期的にチェックして分析する使用ログチェック／統計部と、前記分析した結果により少なくとも一つのアプリケーションを提示し、前記提示したアプリケーションのうちのクライアントが選択した単一のアプリケーションを前記クライアント携帯端末に提供するアプリケーション提示／提供部と、前記分析した結果により、前記クライアント携帯端末に既に格納されている少なくとも一つのアプリケーションを更新するアプリケーション更新部とを含む。
【００２５】
本発明の第６の態様によれば、有線／無線ネットワークを介してクライアント携帯端末に接続されて、前記クライアント携帯端末にアプリケーションを提供／管理サービスを提供する方法は、ａ）クライアント別に固有ＩＤを各々割り当てて管理する段階と、ｂ）前記割り当てた固有ＩＤを介して前記有線／無線ネットワークに接続するクライアント別使用ログを、一定期間周期的にチェックして分析する段階と、ｃ）前記分析した結果により少なくとも一つのアプリケーションを前記クライアント携帯端末に提示した後、前記提示したアプリケーションのうちのクライアントが選択した単一のアプリケーションを前記クライアント携帯端末に提供する段階と、ｄ）前記分析した結果により、前記クライアント携帯端末に格納されている少なくとも一つのアプリケーションを更新する段階とを含む。
【００２６】
本発明の第７の態様によれば、有線／無線ネットワークを介してクライアント携帯端末に接続されて、前記クライアント携帯端末にアプリケーションを提供／管理サービスを提供する方法を含む記録媒体において、コンピュータ読取可能な記録媒体には、ａ）クライアント携帯端末別に固有ＩＤを各々割り当てて管理する機能と、ｂ）前記割り当てた固有ＩＤを介して前記有線／無線ネットワークに接続するクライアント携帯端末別使用ログを一定期間周期的にチェックして分析する機能と、ｃ）前記分析した結果により少なくとも一つのアプリケーションを提示し、前記提示したアプリケーションのうちのクライアントが選択した単一のアプリケーションを前記クライアント携帯端末に提供する機能と、ｄ）前記分析した結果により、前記クライアント携帯端末に既に格納されている少なくとも一つのアプリケーションを更新する機能とを含むプログラムが記録されている。
【発明の効果】
【００２７】
本発明によれば、ＳＩＭカードを、使用者認証のためのスマートカードばかりでなく、少なくとも一つのアプリケーションをダウンロードできるカードとして活用することにより、ＳＩＭカードの活用範囲を拡大させることができる。
【００２８】
また、クライアント携帯端末別使用ログを周期的にチェックして、端末別に格納されたアプリケーションを更新したり、新規アプリケーションを周期的に提供することにより、クライアント別サービス満足度を増大させることができる。
【図面の簡単な説明】
【００２９】
【図１】本発明の第１の実施の形態に係るＳＭＳを利用した携帯端末の使用者インターフェース変更システムを示す図である。
【図２】図１に示した使用者インターフェース変更システムの詳細な構成を示す図である。
【図３】図２に示した使用者インターフェース変更システムの作動を示すフローチャートである。
【図４】本発明の第１の実施の形態に係る短文メッセージの受信画面を順に示す図である。
【図５】本発明の第１の実施の形態に係る短文メッセージの受信画面を順に示す図である。
【図６】本発明の第１の実施の形態に係る短文メッセージの受信画面を順に示す図である。
【図７】本発明の第１の実施の形態によるファンクションキー設定及び名称変更画面を示す図である。
【図８】本発明の実施の形態に係るＳＩＭカードを利用したアプリケーション提供／管理システムの概略的な構成を示す図である。
【図９】図８に示したＳＩＭカードを利用したアプリケーション提供／管理システムの詳細な構成を示す図である。
【図１０】図９に示したＳＩＭカードを利用したアプリケーション提供／管理システムの作動を示す図である。
【図１１】本発明の実施の形態に係るアプリケーション提供／管理サービス提供システムの構成を示す図である。
【図１２】図１１に示したアプリケーション提供／管理サービス提供システムを詳細に示す図である。
【図１３】図１１に示したアプリケーション提供／管理サービス提供システムの作動を示すフローチャートである。
【発明を実施するための形態】
【００３０】
以下の詳細な説明は、本発明をなした発明者が考える最良の形態を単に説明することによって、本発明の好適な実施の形態を示すと共に説明する。そこから分かるように、本発明は、本発明を逸脱しない範囲で色々な自明の形態に変更できる。従って、図面及び説明は例示であり、限定的ではない。本発明を明確に説明するために、説明上不要な部分は省略している。明細書全体を通じて類似な部分については同一図面符号を付している。
【００３１】
まず、ＳＭＳを利用して、アプリケーションをダウンロードしてそのアプリケーションを携帯端末に提供するシステム及びその方法について説明する。
【００３２】
図１は、本発明の第１の実施の形態に係るＳＭＳを利用した携帯端末の使用者インターフェース変更システムを示す図である。
【００３３】
図１に示したように、使用者インターフェース変更システム１００は携帯端末２００内に設けられており、携帯端末２００は、有線／無線通信網３００を介して使用者インターフェース変更／提供サーバー４００に接続される。そして、使用者インターフェース変更／提供サーバー４００は、複数のアプリケーション提供企業５００及びオン−ラインショッピングモール６００にも接続される。
【００３４】
このように、本発明の第１の実施の形態に係る使用者インターフェース変更システム１００は、使用者インターフェース変更／提供サーバー４００を含まないことについて説明しているが、場合によっては含むこともできる。
【００３５】
以下、前記構成の使用者インターフェース変更システム１００について説明する。
【００３６】
まず、使用者インターフェース変更／提供サーバー４００は、クライアント別個人情報（例えば、年令、職業、趣味、及び家族関係など）を分析し、分析結果により、特定のアプリケーションを提供する短文メッセージ（short message）を、有線／無線通信網３００を介して携帯端末２００に伝送する。
【００３７】
このように、本発明の第１の実施の形態では、クライアント別個人情報を分析し、分析結果に従って、特定のアプリケーションを提供する短文メッセージを送信することを説明しているが、必要に応じて、クライアントの要請に応じたアプリケーションを提供することもできる。
【００３８】
使用者インターフェース変更システム１００は、受信された短文メッセージを携帯端末モニター上に表示し、クライアントが受信するか否かによって、使用者インターフェース変更／提供サーバー４００から当該アプリケーションをダウンロードする。
【００３９】
使用者インターフェース変更／提供サーバー４００が複数のアプリケーションを提供することについて説明しているが、場合によっては、アプリケーション提供企業５００がそれらのアプリケーションを直接提供することもできる。
【００４０】
使用者インターフェース変更システム１００は、クライアントがダウンロードしたアプリケーションと一対一対応するファンクションキーを選択するようにし、選択したファンクションキーの名称を修正できるようにする。
【００４１】
加えて、使用者インターフェース変更システム１００は、クライアントのファンクションキークリック時に、クリックされたファンクションキーと一対一対応するアプリケーションを直ちに駆動させるが、この時に駆動されるアプリケーションの画面もまた、クライアントの要請によって、他の駆動画面に変更することができる。つまり、携帯端末２００に格納されている友人の写真や各種アバタなどに駆動画面を変更することができる。
【００４２】
本発明の第１の実施の形態に係るＳＭＳを利用した携帯端末の使用者インターフェース変更方法では、クライアント別個人情報により、ゲームに関連したアプリケーションを直ちにダウンロードするための短文メッセージを提供し、受信した短文メッセージ上の接続状態によりアプリケーションを直ちにダウンロードする。
【００４３】
その結果、本発明は、クライアントが所望のアプリケーションをダウンロードするための時間と費用を浪費するのを防止でき、また、携帯端末別各種ファンクションキーの利用効率性を増大させる。
【００４４】
本発明は、クライアントがダウンロードしたアプリケーションと一対一対応するファンクションキーを選択できるようにし、選択したファンクションキーの名称を変更し、駆動されるアプリケーションの画面も所望の画面に変更できるようにする。
【００４５】
従って、本発明は、クライアントが特定のファンクションキーにマッピングされたアプリケーションを他のものに変更できる使用者インターフェースを提供し、それに伴ってサービス満足度を増大できる。
【００４６】
図２は、図１に示す使用者インターフェース変更システムの構成を示す図である。
【００４７】
図２に示したように、使用者インターフェース変更システム１００は、データ送受信部１１０、アプリケーションダウンロード部１２０、ＵＲＬアクセス部１３０、ファンクションキー選択／変更部１４０、駆動画面変更部１５０、及びインターフェース提供部１６０を含む。
【００４８】
使用者インターフェース変更／提供サーバー４００は、クライアント管理部４１０、ＳＭＳ提供部４２０、アプリケーション提供／管理部４３０、ＵＲＬ提供／接続部４４０、及び費用精算／管理部４５０を含む。
【００４９】
更に詳しくは、使用者インターフェース変更／提供サーバー４００のクライアント管理部４１０は、クライアント別個人情報（年令、趣味、職業、及び家族関係など）を分析して、クライアントに必要なアプリケーション又はＵＲＬが何かを決定する。
【００５０】
即ち、クライアント管理部４１０は、クライアントの趣味がゲームである場合、特定のゲーム（例えば、タマゴッチなど）に関連したアプリケーションを決定するか、又は、クライアントの家族が誕生日であるときは、誕生日のプレゼントを販売するオンラインショッピングモールのＵＲＬを決定する。
【００５１】
ＳＭＳ提供部４２０は、決定されたアプリケーション（又はＵＲＬ）及びアプリケーションと一対一対応するファンクションキーの設定を案内する短文メッセージを有線／無線通信網３００を介して携帯端末２００に伝送する。
【００５２】
アプリケーション提供／管理部４３０は、伝送した短文メッセージの接続状態により、少なくとも一つのアプリケーションを携帯端末２００に提供し、新規アプリケーションを追加開発したり管理する。
【００５３】
ＵＲＬ提供／接続部４４０は、伝送した短文メッセージの接続状態により、携帯端末２００が少なくとも一つのＵＲＬにアクセスできるようにし、接続したＵＲＬでの商品の検索及び購入などが行われるようにする。
【００５４】
本発明の第１の実施の形態では、少なくとも一つのアプリケーションを提供すると共にＵＲＬアクセスを提供するが、これは本発明に限られるわけではなく、場合によっては、アプリケーション提供企業５００が直接アプリケーションを提供したり、オンラインショッピングモール６００が直接ＵＲＬアクセスなどを提供することもできる。
【００５５】
費用精算／管理部４５０は、サービス提供料、即ち、携帯端末２００に伝送した短文メッセージの接続状態により提供される所定のアプリケーション別費用（例えば、８００ウォンなど）を賦課及び精算する。
【００５６】
次に、使用者インターフェース変更システム１００のデータ送受信部１１０は、有線／無線通信網３００を介してＳＭＳ提供部４２０から短文メッセージを受信したり、クライアントが受諾したアプリケーションが端末２００に正常に受信されるようにする。
【００５７】
アプリケーションダウンロード部１２０は、短文メッセージを受信したクライアントが受諾するか否かにより、アプリケーション提供／管理部４３０から少なくとも一つのアプリケーションをダウンロードする。
【００５８】
ＵＲＬアクセス部１３０は、短文メッセージを受信したクライアントが受諾するか否かにより、ＵＲＬ提供／接続部４４０を介して特定のＵＲＬにアクセスする。
【００５９】
ファンクションキー選択／変更部１４０は、ダウンロードしたアプリケーションと一対一対応するファンクションキーを選択できるようにし、選択したファンクションキーの名称を、クライアントの好みに合うように変更することができるようにする。これは、特定のファンクションキーにマッピングされたアプリケーションをクライアントが任意に変更できる使用者インターフェースを提供する。
【００６０】
ファンクションキー選択／変更部１４０は、クライアントが変更したファンクションキーの名称を、クライアントの必要に応じて第２から第ｎの他の名称に変更することができる。即ち、ファンクションキー選択／変更部１４０は、ダウンロードしたアプリケーションと一対一対応するファンクションキーの名称を少なくとも二回以上変更できるインターフェースを提供する。
【００６１】
駆動画面変更部１５０は、ダウンロードしたアプリケーションを駆動させるときに表示される画面をクライアントの選択により他の背景の駆動画面として変更する。
【００６２】
即ち、クライアントが、アプリケーションの駆動画面を携帯端末２００に格納されているボーイフレンドの顔写真にしたいときは、駆動画面変更部１５０は、アプリケーションの駆動画面をクライアントが選択した写真ファイルに変更する。
【００６３】
このとき、駆動画面変更部１５０は、プレビュー画面などをクライアントに提供し、クライアントがアプリケーションの駆動画面をプレビューした後、再び変更したりそのまま使用するようにする。
【００６４】
また、駆動画面変更部１５０は、クライアントが駆動画面として単一の特定イメージを設定できるようにし、クライアント携帯端末２００内のイメージ保管箱（図示せず）を介して管理される少なくとも一つのイメージをクライアントに任意に表示することができ、クライアントは、特定のイメージファイルをダウンロードしたアプリケーションの駆動画面として任意に選択及び駆動する。
【００６５】
インターフェース提供部１６０は、クライアントが携帯端末上の特定のファンクションキーをクリックしたとき、クリックしたファンクションキーと一対一対応するアプリケーションを直ちに提供する。これにより、クライアントは、ダウンロードしたアプリケーションがタマゴッチのようなゲーム関連アプリケーションである度にネットワークにアクセスすることなく、自身の携帯端末上で所望のゲームを表示することができる。
【００６６】
即ち、クライアントが所望のアプリケーションをダウンロードするための時間と費用を浪費するのを防止して、携帯端末別各種ファンクションキーの利用効率性を増大させる。
【００６７】
以下、上記構成のＳＭＳを利用した携帯端末の使用者インターフェース変更システムの作動を、添付した図面を参照しながら説明する。
【００６８】
図３は、図２に示した使用者インターフェース変更システムの動作過程を順に示したフローチャートである。
【００６９】
図３に示すように、まず、使用者インターフェース変更／提供サーバー４００のクライアント管理部４１０は、クライアント別個人情報（年令、趣味、職業、及び家族関係など）を分析して、クライアントに必要なアプリケーション（又はＵＲＬ）が何かを決定する（ステップＳ３０１）。
【００７０】
即ち、クライアント管理部４１０は、クライアントの趣味がゲームであるとき、特定のゲーム（例えば、タマゴッチなど）に関連するアプリケーション（又はクライアントの趣味が読書であれば、図書を販売するオンラインショッピングモールのＵＲＬなど）を決定する。
【００７１】
ＳＭＳ提供部４２０は、決められたアプリケーション（又はＵＲＬ）及びアプリケーションと一対一対応するファンクションキーの設定を案内する短文メッセージを有線／無線通信網３００を介して携帯端末２００に送信する（ステップＳ３０２）。
【００７２】
使用者インターフェース変更システム１００のデータ送受信部１１０は、ＳＭＳ提供部４２０から短文メッセージを受信する（ステップＳ３０３）が、この時に受信される短文メッセージに対する表示例を図４〜図６に示す。
【００７３】
図４〜図６に示すように、短文メッセージは、クーポンの受け取り過程でクライアントがダウンロードするアプリケーション、及びアプリケーションのファンクションキー設定関連内容を含み、使用者インターフェース変更方法などを案内する。
【００７４】
アプリケーションダウンロード部１２０は、短文メッセージを受信したクライアントが受諾するか否か（ステップＳ３０４）により、アプリケーション提供／管理部４３０から当該アプリケーションをダウンロードする（ステップＳ３０５、Ｓ３０６）。
【００７５】
クライアントがオンラインショッピングモールと対応するＵＲＬアクセスを要請すれば、ＵＲＬ接続部１３０は、ＵＲＬ提供／接続部４４０を介して特定のＵＲＬに接続する。
【００７６】
費用精算／管理部４５０は、サービス提供料、即ち、携帯端末２００にダウンロードされるアプリケーション別費用（例えば、８００ウォンなど）を賦課及び精算する（ステップＳ３０７）。
【００７７】
ファンクションキー選択／変更部１４０は、クライアントがダウンロードしたアプリケーションと一対一対応するファンクションキーを選択できるようにし、選択したファンクションキーの名称をクライアントの好みに合うように変更することができるようにする（ステップＳ３０８）。このようなファンクションキーの設定及び名称変更に対する表示例を図５に示す。
【００７８】
図７は、本発明の第１の実施の形態に係るファンクションキー設定及び名称変更のための画面を示す図である。
【００７９】
図７に示すように、ファンクションキー選択／変更部１４０は、クライアントの要請により、検索名称を有するファンクションキーのインターフェースを、「Ｔｏｄａｙ」という名称を有するインターフェースに変更する。
【００８０】
駆動画面変更部１５０は、クライアントの選択により、ダウンロードしたアプリケーションを駆動させるときに表示される画面を他の背景の駆動画面に変更する（ステップＳ３０９）。
【００８１】
即ち、クライアントが自身の携帯端末２００に格納されているボーイフレンドの顔写真をアプリケーションの駆動画面として変更しようとするとき、駆動画面変更部１５０は、クライアントが選択した写真ファイルをアプリケーションの駆動画面に変更する。
【００８２】
このとき、駆動画面変更部１５０は、プレビュー画面などをクライアントに提供するが、クライアントは、アプリケーションの駆動画面をプレビューした後、駆動画面を再び変更したりそのまま使用する。
【００８３】
インターフェース提供部１６０は、クライアントが携帯端末上の特定のファンクションキーをクリックしたとき、クリックしたファンクションキーと一対一対応するアプリケーションを直ちに提供する（ステップＳ３１０）。従って、本発明は、特定のファンクションキーにマッピングされたアプリケーションをクライアントが任意に交換できる使用者インターフェースを提供する。
【００８４】
以下、ＳＩＭカードを利用して、アプリケーションをダウンロードすると共に携帯端末に提供するシステム及びその方法について説明する。
【００８５】
図８は、本発明の第２の実施の形態に係るＳＩＭカードを利用したアプリケーション提供／管理システムの概略的な構成を示す図である。
【００８６】
図８に示すように、アプリケーション提供／管理システム１１００は、第１〜第ｎクライアント携帯端末１３０１〜１３００ｎ内に各々含まれており、クライアント携帯端末１３００は、有線／無線通信網１４００を介して、ＳＩＭ（Subscriber Interface Module
）カード提供／管理サーバー１５００に接続されている。
【００８７】
ＳＩＭカード提供／管理サーバー１５００は、アプリケーション提供企業１６００にも接続される。各々のクライアント携帯端末１３０１〜１３００ｎは、本発明の第２の実施の形態に係るＳＩＭカード１２００を脱着可能な構造を有する。
【００８８】
以下、上記構成のＳＩＭカードを利用したアプリケーション提供／管理システム１１００について説明する。
【００８９】
ＳＩＭカード提供／管理サーバー１５００は、少なくとも一つのアプリケーションを新規開発して管理するが、このとき、アプリケーション別固有ＩＤを割り当てて、この割り当てたＩＤを本発明の第２の実施の形態に係るＳＩＭカードに格納する。これにより、ＳＩＭカードは、使用者パスワードなどの加入者情報、ネットワーク登録のためのデータ、及びアプリケーション別固有ＩＤを有する。
【００９０】
アプリケーション提供／管理システム１１００は、ＳＩＭカードを、使用者認証のためのスマートカードではなく、少なくとも一つのアプリケーションをダウンロードするためのアプリケーション供給カードとして活用する。これにより、ＳＩＭカードの活用範囲を拡大させることができる。
【００９１】
クライアントは、所望のアプリケーションの固有ＩＤを格納しているＳＩＭカードを所定の費用を支払って購入した後、そのＳＩＭカードを携帯端末１３００に装着する。
【００９２】
クライアント携帯端末１３００のアプリケーション提供／管理システム１１００は、端末に装着されたＳＩＭカード１２００のデータを検出し、ＳＩＭカード１２００に格納されている加入者情報からアプリケーションＩＤを読み取り、この読み取ったアプリケーションＩＤと同一なアプリケーションＩＤがクライアント携帯端末１３００に格納されているかを確認し、確認の結果、同一なアプリケーションＩＤがないときは、読み取ったアプリケーションＩＤを、有線／無線通信網１４００を介してＳＩＭカード提供／管理サーバー１５００に伝送する。
【００９３】
ＳＩＭカード提供／管理サーバー１５００は、受信されたアプリケーションＩＤにより、クライアント携帯端末１３００がダウンロードできる少なくとも一つのアプリケーションをクライアントに提示するが、アプリケーション提供／管理システム１１００は、クライアントの選択により単一のアプリケーションを選択する。
【００９４】
アプリケーション提供／管理システム１１００は、クライアントが選択したアプリケーションをダウンロードし、ダウンロードしたアプリケーションと一対一対応するファンクションキーをクライアントの選択により設定し、設定されたファンクションキーの名称をクライアントの選択により修正する。
【００９５】
本実施の形態では、ＳＩＭカード提供／管理サーバー１５００が複数のアプリケーションを提供することについて説明しているが、これに限られるわけではなく、アプリケーション提供企業１６００のサーバーにアプリケーションＩＤを伝送して、そのサーバーが少なくとも一つのアプリケーションを直接提供するようにもできる。
【００９６】
アプリケーション提供／管理システム１１００は、クライアントのファンクションキークリックにより、クリックされたファンクションキーと一対一対応するアプリケーションを直ちに駆動させるが、このときに、駆動されるアプリケーションの画面を、クライアントの要請により他の駆動画面に変更することができる。即ち、駆動画面をクライアント携帯端末１３００に格納されている友人の写真や画像、アバタなどに変更することができる。
【００９７】
アプリケーション提供／管理システム１１００は、クライアントが特定のファンクションキーをクリックすると、クリックされたファンクションキーと一対一対応するアプリケーションを駆動させると同時に、変更された駆動画面を表示することによって、特定のファンクションキーにマッピングされたアプリケーションをクライアントが任意に変更できる使用者インターフェースを提供する。
【００９８】
本発明の第２の実施の形態に係るＳＩＭカードを利用したアプリケーション提供／管理システムは、使用者認識カードとして使用されたＳＩＭカードの利用範囲を少なくとも一つのアプリケーションを容易にダウンロードできるカードにまで拡大させて、クライアント及サービス提供者のサービス満足度を増大させることができる。
【００９９】
また、本発明は、クライアントがダウンロードしたアプリケーションと一対一対応するファンクションキーを選択できるようにし、選択したファンクションキーの名称をクライアントの好みに合うように修正できるようにし、実行されたアプリケーションの駆動画面を所望の画面に変更することができる。
【０１００】
以下、ＳＩＭカードを利用したアプリケーション提供／管理システムの詳細な構成について説明する。
【０１０１】
図９は、図８に示すＳＩＭカードを利用したアプリケーション提供／管理システムの詳細な構成を示す図である。
【０１０２】
図９に示すように、ＳＩＭカードを利用したアプリケーション提供／管理システム１１００は、ＳＩＭカード認識／読取部１１１０、アプリケーション点検部１１２０、データ送受信部１１３０、アプリケーションダウンロード部１１４０、ファンクションキー選択／変更部１１５０、駆動画面変更部１１６０、及びインターフェース提供部１１７０を含む。
【０１０３】
ＳＩＭカード提供／管理サーバー１５００は、アプリケーション管理部１５１０、ＩＤ割当／記録部１５２０、情報チェック部１５３０、アプリケーション提供部１５４０、及び費用精算／管理部１５５０を含む。
【０１０４】
アプリケーション管理部１５１０は、少なくとも一つのアプリケーションを管理し、新規アプリケーションもまた追加開発して管理する。
【０１０５】
ＩＤ割当／記録部１５２０は、アプリケーション別に固有ＩＤを割り当て、この割り当てたＩＤを本発明の第２の実施の形態に係るＳＩＭカード１２００に記録する。
【０１０６】
情報チェック部１５３０は、有線／無線通信網１４００を介して、クライアント携帯端末１３００から受信されるＳＩＭカードの認識結果を確認して、正常なデータであるかを確認する。即ち、情報チェック部１５３０は、認識した結果中、アプリケーションＩＤがＩＤ割当／記録部１５２０によって正常に発行されたＩＤであるかをチェックする。
【０１０７】
アプリケーション提供部１５４０は、情報チェック結果により、少なくとも一つのアプリケーションを提示し、クライアントの選択により単一のアプリケーションをクライアント携帯端末１３００に提供する。
【０１０８】
費用精算／管理部１５５０は、サービス提供料、即ち、クライアント携帯端末１３００に提供する所定のアプリケーション別費用（例えば、８００ウォンなど）を賦課及び精算する。
【０１０９】
ＳＩＭカード認識／読取部１１１０は、ＳＩＭカード１２００がクライアント携帯端末１３００に装着されると、装着されたＳＩＭカードを認識すると同時に、ＳＩＭカードに格納された各種情報を読み取る。
【０１１０】
即ち、ＳＩＭカード認識／読取部１１１０は、ＳＩＭカード１２００に記録されている加入者情報からアプリケーション固有ＩＤなどを読み取る。
【０１１１】
アプリケーション点検部１１２０は、読み取ったデータのうち、アプリケーションＩＤと同一のＩＤがクライアント携帯端末１３００に格納されているか否かを点検する。
【０１１２】
データ送受信部１１３０は、点検結果、同一のアプリケーションＩＤがなければ、読み取ったアプリケーション固有ＩＤを、有線／無線通信網１４００を介してＳＩＭカード提供／管理サーバー１５００に送信する。
【０１１３】
アプリケーションダウンロード部１１４０は、ＳＩＭカード提供／管理サーバー１５００から提示される多数のアプリケーションのうち、クライアントが選択する単一のアプリケーションをクライアント携帯端末１３００にダウンロードする。
【０１１４】
ファンクションキー選択／変更部１１５０は、クライアントの選択により、ダウンロードしたアプリケーションと一対一対応するファンクションキーを選択し、選択したファンクションキーの名称をクライアントの好みに合うように変更することができるようにする。これにより、特定のファンクションキーにマッピングされたアプリケーションをクライアントが任意に変更できる使用者インターフェースを提供する。
【０１１５】
ファンクションキー選択／変更部１１４０は、クライアントが変更したファンクションキーの名称を、クライアントの必要に応じて第２〜第ｎの他の名称に変更することができる。即ち、ファンクションキー選択／変更部１１４０は、ダウンロードしたアプリケーションと一対一対応するファンクションキーの名称を少なくとも二回変更できるインターフェースを提供する。
【０１１６】
駆動画面変更部１１６０は、クライアントの選択により、ダウンロードしたアプリケーション実行時に表示された駆動画面を他の背景の駆動画面に変更する。
【０１１７】
即ち、クライアントがアプリケーション駆動画面を自身の携帯端末１３００に格納されたボーイフレンドの写真に変更しようとするとき、駆動画面変更部１１６０は、アプリケーション駆動画面をクライアントが選択した写真ファイルに変更する。
【０１１８】
この時、駆動画面変更部１１６０は、プレビュー画面をクライアントに提供し、クライアントがアプリケーションの駆動画面をプレビューし、変更したりそのまま使用するようにする。この場合、一つのイメージだけでなく、イメージ保管箱（図示せず）内の多様なイメージを任意に表示するように設定することができる。
【０１１９】
インターフェース提供部１１７０は、クライアントが端末の特定のファンクションキーをクリックすると、クリックされたファンクションキーと一対一対応するアプリケーションを直ちに提供すると同時に、変更された駆動画面もまた表示する。
【０１２０】
以下、上記構成のＳＩＭカードを利用したアプリケーション提供／管理システムの動作過程について説明する。
【０１２１】
図１０は、図９に示すＳＩＭカードを利用したアプリケーション提供／管理システムの作動を示すフローチャートである。
【０１２２】
図１０に示すように、ＩＤ割当／記録部１５２０は、アプリケーション別に固有ＩＤを割り当て、割り当てた固有ＩＤを、本発明の第２の実施の形態に係るＳＩＭカード１２００に記録する（ステップＳ１３０１）。
【０１２３】
クライアントがアプリケーション固有ＩＤを格納しているＳＩＭカード１２００を自身の端末１３００に装着したときに、ＳＩＭカード認識／読取部１１１０は、装着されたＳＩＭカードを認識し、ＳＩＭカードに格納された各種情報を読み取る（ステップＳ１３０２）。
【０１２４】
即ち、ＳＩＭカード認識／読取部１１１０は、ＳＩＭカード１２００に記録されている加入者情報からネットワーク登録情報及びアプリケーション固有ＩＤを読み取る。
【０１２５】
アプリケーション点検部１１２０は、読み取ったデータのうち、アプリケーションＩＤと同一なＩＤがクライアント携帯端末１３００に格納されているかを点検（しステップＳ１３０３）、点検の結果、同一なＩＤがなければ、データ送受信部１１３０は、読み取ったアプリケーション固有ＩＤを、有線／無線通信網１４００を介してＳＩＭカード提供／管理サーバー１５００に送信する（ステップＳ１３０４）。
【０１２６】
情報チェック部１５３０は、クライアント携帯端末１３００から受信されたＳＩＭカードの認識結果を確認して、正常なデータであるかを確認する（ステップＳ１３０５）。即ち、情報チェック部１５３０は、アプリケーションＩＤがＩＤ割当／記録部１５２０を介して正常に発行されたＩＤであるかをチェックする。
【０１２７】
アプリケーション提供部１５４０は、情報チェック結果によって少なくとも一つのアプリケーションを提示し、クライアントの選択により、単一のアプリケーションをクライアント携帯端末１３００に提供する（ステップＳ１３０６）。
【０１２８】
アプリケーションダウンロード部１１４０は、クライアントが選択した単一のアプリケーションをＳＩＭカード提供／管理サーバー１５００からダウンロードする（ステップＳ１３０７）。
【０１２９】
費用精算／管理部１５５０は、サービス提供料、即ち、クライアント携帯端末１３００にダウンロードされたアプリケーション別費用（例えば、８００ウォンなど）を賦課及び精算する（ステップＳ１３０８）。
【０１３０】
ファンクションキー選択／変更部１１５０は、クライアントがダウンロードしたアプリケーションと一対一対応するファンクションキーを選択できるようにし、選択したファンクションキーの名称もまた、クライアントの好みに合うように２回変更することができるようにする（ステップＳ１３０９）。
【０１３１】
駆動画面変更部１１６０は、クライアントの選択により、ダウンロードしたアプリケーションを実行する時に現れる駆動画面を、他の背景の駆動画面に変更する（ステップＳ１３１０）。
【０１３２】
即ち、クライアントが、アプリケーションの駆動画面を、自身の端末１３００に格納されたボーイフレンドの写真に変更しようとするとき、駆動画面変更部１１６０は、アプリケーションの駆動画面をクライアントが選択した写真に変更する。
【０１３３】
この時、駆動画面変更部１１６０は、プレビュー画面をクライアントに提供するが、クライアントはアプリケーションの駆動画面をプレビューし、駆動画面を変更したりそのまま使ったりする。
【０１３４】
インターフェース提供部１１７０は、クライアントが端末の特定のファンクションキーをクリックすると、クリックされたファンクションキーと一対一対応するアプリケーションを直ちに提供すると同時に、変更された駆動画面もまた表示する（ステップＳ１３１１）。これにより、特定のファンクションキーにマッピングされたアプリケーションをクライアントが任意に交換できる使用者インターフェースを提供する。
【０１３５】
クライアント携帯端末にアプリケーションを提供すると共に、これを管理するシステム及びその方法について説明する。
【０１３６】
図１１は、本発明の第３の実施の形態に係るアプリケーション提供／管理サービス提供システムを示す図である。
【０１３７】
図１１に示すように、アプリケーション提供／管理サービス提供システム２１００は、有線／無線通信網２２００を介して多数のクライアント携帯端末２３０１〜２３００ｎに接続されており、クライアント携帯端末２３０１〜２３００ｎの各々は、アプリケーションサービス受信機２４００を含む。
【０１３８】
以下、上記構造のアプリケーション提供／管理サービス提供システム２１００について説明する。
【０１３９】
アプリケーション提供／管理サービス提供システム２１００は、本発明の第３の実施の形態に係るアプリケーション提供及び管理サービスを受けようとするクライアント別に固有ＩＤを各々割り当てる。
【０１４０】
本発明の第３の実施の形態では、クライアント別固有ＩＤ割り当てについて説明しているが、これは限られるわけではなく、固有ＩＤとしてクライアント携帯端末別電話番号を使用することもできる。
【０１４１】
割り当てと同時に、アプリケーション提供／管理サービス提供システム２１００は、クライアントの個人情報（例えば、性別、職業、及び趣味など）により基本的なアプリケーション（一種のデフォルト）をクライアント携帯端末２３００に提供する。
【０１４２】
クライアントが割り当てられた固有ＩＤで有線／無線通信網２２００にアクセスすれば、アプリケーション提供／管理サービス提供システム２１００は、携帯端末２３００の使用パターン（一種のイベントログ）をチェックする。即ち、クライアント携帯端末２３００がどのＵＲＬにアクセスするか、又はいかなるアプリケーションを駆動させるかのような使用パターンを一定周期の間チェックする。
【０１４３】
アプリケーション提供／管理サービス提供システム２１００は、チェック結果により、少なくとも一つのアプリケーションをクライアント携帯端末２３００に提示し、クライアントは、提示されたアプリケーションのうちで単一のアプリケーションを選択することにより、新規バージョン又は自分が好きなアプリケーションの提供を受ける。
【０１４４】
アプリケーション提供／管理サービス提供システム２１００は、上記作動を反復的に行うことにより、クライアント携帯端末別アプリケーションを更新する。
【０１４５】
このように、アプリケーション提供／管理サービス提供システム２１００は、クライアント携帯端末別にクライアントが望むアプリケーションや新規アプリケーションを周期的に提供及び更新することにより、サービス満足度が増大する。
【０１４６】
アプリケーションサービス受信機２４００は、アプリケーション提供／管理サービス提供システム２１００からダウンロードしたアプリケーションと一対一対応するファンクションキーを、クライアントの選択により端末上で選択し、選択したファンクションキーの名称をクライアントの選択により修正する。
【０１４７】
加えて、アプリケーションサービス受信機２４００は、クライアントのファンクションキークリックにより、クリックされたファンクションキーと一対一対応するアプリケーションを直ちに実行させるが、この時に実行されるアプリケーションの駆動画面もまた、クライアントの要請により他の駆動画面に変更する。即ち、駆動画面をクライアント携帯端末２３００に格納されている友人の写真や各種アバタなどに変更することができる。
【０１４８】
このように、アプリケーション提供／管理サービス提供システム２１００は、クライアントが提供されたアプリケーションと一対一対応するファンクションキーを選択できるようにし、選択したファンクションキーの名称をクライアントの好みに合うように修正でき、駆動されるアプリケーションの画面を所望の画面に変更することができるようにする。
【０１４９】
従って、本発明は、特定のファンクションキーにマッピングされたアプリケーションをクライアントが任意に交換できる使用者インターフェースを提供することにより、サービス満足度を増大させる。
【０１５０】
上記構成のアプリケーション提供／管理サービス提供システムの詳細な構成について説明する。
【０１５１】
図１２は、図１１に示すアプリケーション提供／管理サービス提供システムを詳細に示す図である。
【０１５２】
図１２に示すように、アプリケーション提供／管理サービス提供システム２１００は、アプリケーション管理部２１１０、ＩＤ割当／管理部２１２０、使用ログチェック／統計部２１３０、アプリケーション提示／提供部２１４０、アプリケーション更新部２１５０、及び費用精算／管理部２１６０を含む。
【０１５３】
アプリケーションサービス受信機２４００は、ネットワーク接続部２４１０、データ送受信部２４２０、アプリケーションダウンロード部２４３０、ファンクションキー選択／変更部２４４０、駆動画面変更部２４５０、及びインターフェース提供部２４６０を含む。
【０１５４】
より詳しくは、アプリケーション管理部２１１０は、少なくとも一つのアプリケーションを格納及び管理し、新規アプリケーションを追加開発したり更新して、管理する。
【０１５５】
ＩＤ割当／管理部２１２０は、本発明の第３の実施の形態に係るアプリケーション提供及び管理サービスを要請するクライアント別に固有ＩＤを割り当て、割り当てた固有ＩＤを一定の基準により分類して管理する。場合によっては、ＩＤ割当／管理部２１２０は、クライアント携帯端末別電話番号を固有ＩＤに各々分類して、管理することもできる。
【０１５６】
使用ログチェック／統計部２１３０は、割り当てた固有ＩＤを介してネットワーク２２００に接続するクライアント携帯端末の使用ログを一定期間チェックし、チェック結果を一定の基準により分類する。
【０１５７】
アプリケーション提示／提供部２１４０は、クライアント携帯端末別に使用ログをチェックした結果により、少なくとも一つのアプリケーションをクライアント携帯端末２３００に提示し、クライアントの選択により、単一のアプリケーションをクライアント携帯端末２３００に提供する。
【０１５８】
アプリケーション更新部２１５０は、クライアント携帯端末別使用ログチェック結果又は個人情報により、クライアント携帯端末に格納されているアプリケーションの新規バージョンを追加的に提供したり更新する。
【０１５９】
費用精算／管理部２１６０は、サービス提供料、即ち、クライアント携帯端末２３００に提供する新規又は更新に関する所定のアプリケーション別費用を賦課及び精算する。
【０１６０】
アプリケーションサービス受信機２４００のネットワーク接続部２４１０は、クライアントの選択により、有線／無線通信網２２００を介して特定のＵＲＬにアクセスする。
【０１６１】
データ送受信部２４２０は、有線／無線通信網２２００を介して、アプリケーション提供及び管理サービス提供システム２１００とのデータ送受信を制御する。
【０１６２】
アプリケーションダウンロード部２４３０は、クライアントが受諾するか否かにより、アプリケーション提示／提供部２１４０から少なくとも一つのアプリケーションをダウンロードし、格納されたアプリケーションの更新に関するアプリケーションをアプリケーション更新部２１５０からダウンロードする。
【０１６３】
ファンクションキー選択／変更部２４４０は、ダウンロードしたアプリケーションと一対一対応するファンクションキーを選択し、選択したファンクションキーの名称を変更する。これにより、特定のファンクションキーにマッピングされたアプリケーションをクライアントが任意に交換できる使用者インターフェースを提供する。
【０１６４】
駆動画面変更部２４５０は、クライアントの選択により、ダウンロードしたアプリケーションを実行する時に表示される駆動画面を他の背景の駆動画面に変更する。この時、駆動画面変更部２４５０は、プレビュー画面をクライアントに提供し、クライアントがアプリケーションの駆動画面をプレビューした後、再び変更したりそのまま使用するようにする。
【０１６５】
インターフェース提供部２４６０は、クライアントが端末上の特定のファンクションキーをクリックすると、クリックされたファンクションキーと一対一対応するアプリケーションを提供すると同時に、変更された駆動画面を提供する。
【０１６６】
本発明の第３の実施の形態では、アプリケーション提供及び管理サービス提供システムが端末別使用ログを周期的にチェック及び分析して、それに合うアプリケーションを当該端末に提供することについて説明しているが、これは本発明に限られるわけではなく、場合によっては、クライアントが推薦したアプリケーションを検索して、直ちに提供したりもする。
【０１６７】
以下、上記構成のアプリケーション提供／管理サービス提供システムの作動について説明する。
【０１６８】
図１３は、図１２に示すアプリケーション提供／管理サービス提供システムの作動を示すフローチャートである。
【０１６９】
図１３に示すように、ＩＤ割当／管理部２１２０は、クライアント携帯端末別に固有ＩＤを割り当て（ステップＳ２３０１）、アプリケーション提示／提供部２１４０は、割当時の個人情報（例えば、性別、職業、及び趣味など）により、一種のデフォルトとして基本的なアプリケーションを提供する（ステップＳ２３０２）。
【０１７０】
即ち、アプリケーション提示／提供部２１４０は、クライアントの性別又は職業などによって、それに合う基本的なアプリケーションを提供する。
【０１７１】
ネットワーク接続部２４１０は、クライアントが自身に与えられた専用ＩＤに基づいて有線／無線通信網２２００にアクセスし（ステップＳ２３０３）、携帯端末２３００に格納されたアプリケーションを実行するようにする。
【０１７２】
使用ログチェック／統計部２１３０は、クライアント携帯端末別使用ログを、既に割り当てた固有ＩＤ別にチェックするが、チェック結果もまた一定の期間別に分析して統計値資料化する（ステップＳ２３０４）。
【０１７３】
アプリケーション提示／提供部２１４０は、端末別使用ログ分析結果により、クライアントに合うアプリケーションを少なくとも一つ提示し、提示されたアプリケーションのうち、クライアントが選択した単一のアプリケーションを当該クライアント携帯端末に提供する（ステップＳ２３０５）。
【０１７４】
アプリケーションサービス受信機２４００のアプリケーションダウンロード部２４３０は、単一のアプリケーションをダウンロードする（ステップＳ２３０６）。
【０１７５】
アプリケーション更新部２１５０は、上記作動を反復的に行って、各クライアント携帯端末に格納されたアプリケーションを更新したり（ステップＳ２３０７）、新規アプリケーションを提供することによってサービス満足度を増大させる。
【０１７６】
費用精算／管理部２１６０は、サービス提供料、つまり、クライアント携帯端末別に提供した新規又は更新関連アプリケーション費用を賦課及び精算する（ステップＳ２３０８）。
【０１７７】
ファンクションキー選択／変更部２４４０は、クライアントの選択によりダウンロードしたアプリケーションと一対一対応するファンクションキーを選択し、選択したファンクションキーの名称をクライアントの好みに合うように変更する（ステップＳ２３０９）。
【０１７８】
駆動画面変更部２４５０は、クライアントの選択により、ダウンロードしたアプリケーションを実行する時に表示される駆動画面を他の背景の駆動画面に変更する（ステップＳ２３１０）。
【０１７９】
即ち、クライアントが自身の端末２３００に格納されたボーイフレンドの顔写真をアプリケーションの駆動画面に変更しようとするとき、駆動画面変更部２４５０は、アプリケーションの駆動画面をクライアントが選択した写真ファイルに変更する。
【０１８０】
このとき、駆動画面変更部２４５０は、プレビュー画面をクライアントに提供し、クライアントがアプリケーションの駆動画面をプレビューした後、駆動画面を再び変更したりそのまま使用するようにする。
【０１８１】
インターフェース提供部２４６０は、クライアントが端末上のファンクションキーをクリックすると、クリックされたファンクションキーと一対一対応するアプリケーションを直ちに提供（ステップＳ２３１１）し、変更された駆動画面もまた提供する。
【０１８２】
従って、本発明は、特定のファンクションキーにマッピングされたアプリケーションをクライアントが任意に交換できる使用者インターフェースを提供する。
【０１８３】
また、アプリケーション提供／管理サービス提供システムとその方法は、クライアント携帯端末別に格納されたアプリケーションを更新したり、新規アプリケーションを周期的に提供することによって、それに伴ってサービス満足度を増大させる。
【０１８４】
本発明は、現在最も実際的且つ好適な実施の形態であると考えられるものに関連して記載されており、本発明が開示された実施の形態に限らないと理解すべきであり、一方添付請求項の精神及び範囲内の種々の変形例及び同等の装置を含むものである。
【符号の説明】
【０１８５】
１００  使用者インターフェース変更システム
２００  携帯端末
３００  有線／無線通信網
４００  使用者インターフェース変更／提供サーバー
５００  アプリケーション提供企業
【図１】
2010045824.tif 000003
【図２】
2010045824.tif 000004
【図３】
2010045824.tif 000005
【図４】
2010045824.tif 000006
【図５】
2010045824.tif 000007
【図６】
2010045824.tif 000008
【図７】
2010045824.tif 000009
【図８】
2010045824.tif 000010
【図９】
2010045824.tif 000011
【図１０】
2010045824.tif 000012
【図１１】
2010045824.tif 000013
【図１２】
2010045824.tif 000014
【図１３】
2010045824.tif 000015